(57)【要約】      （修正有）【課題】蹴りだしの際シューズ本体部と硬質プレートとの過度の離反を制限しながら、蹴りだしの後硬質プレートのシューズ本体部への追従性を確保できるシューズを提供する。【解決手段】足が挿入されるシューズ本体部１と、前記シューズ本体部１の底面側長さ方向における所要範囲を覆うとともに、前足部における所要位置においてのみで前記シューズ本体部１の底面側に固定された硬質プレート２と、前記硬質プレート２の接地面側の長さ方向における両端部にそれぞれ取り付けられたクッション材３と、少なくともシューズ本体部１と硬質プレート２との固定部４より踵側の所要位置でシューズ本体部１と硬質プレート２とを架橋する伸縮部材５と、を具備する。【選択図】図１
2020163092.tif 000002
【特許請求の範囲】
【請求項１】
足が挿入されるシューズ本体部と、前記シューズ本体部の底面側長さ方向における所要範囲を覆うとともに、前足部における所要位置においてのみで前記シューズ本体部の底面側に固定された硬質プレートと、前記硬質プレートの接地面側の長さ方向における両端部にそれぞれ取り付けられたクッション材と、少なくとも前記シューズ本体部と前記硬質プレートとの固定部より踵側の所要位置で前記シューズ本体部と前記硬質プレートとを架橋する伸縮部材と、を具備することを特徴とするシューズ。
【請求項２】
前記硬質プレートあるいは前記クッション材あるいは前記シューズ本体部のいずれかに前記伸縮部材が適合する溝を具備することを特徴とする請求項１記載のシューズ。
【請求項３】
前記硬質プレートあるいは前記クッション材あるいは前記シューズ本体部のいずれかに前記伸縮部材が通る孔を具備することを特徴とする請求項１記載のシューズ
【請求項４】
前記伸縮部材はシューズを覆う全周性のものであることを特徴とする請求項１〜３のいずれか一項に記載のシューズ。
【請求項５】
前記伸縮部材は、前記硬質プレートあるいは前記クッション材あるいは前記シューズ本体部のいずれかに固定されていることを特徴とする請求項１〜４のうちいずれか一項に記載のシューズ。
【請求項６】
前記伸縮部材は、シューズから取り外し可能であることを特徴とする請求項１〜４のうちいずれか一項に記載のシューズ。
【請求項７】
前記伸縮部材は、離解、接合可能な構造を具備することを特徴とする請求項１〜６のうちいずれか一項に記載のシューズ。
【発明の詳細な説明】
【技術分野】
【０００１】  本発明は、履き心地が良いとともに着地時の衝撃を蹴りだし時の推進力に効率的に変換することが可能な構成を有し、ランニングやウォーキングに用いて好適なシューズに関するものである。
【背景技術】
【０００２】  本発明者は、履き心地を損なうことなく、クッション性および蹴りだし時に得られる推進力をそれぞれ向上させることを可能にしたシューズの発明を特許文献１（Ｗ０２０１８−１１６８７４）において行っている。具体的には、図３に示すように、足が挿入されるシューズ本体部２１と、前記シューズ本体部２１の底面側長さ方向における所要範囲を覆うとともに、前足部における所要位置においてのみで前記シューズ本体部２１の底面側に固定された硬質プレート２２と、前記硬質プレート２２の接地面側の長さ方向における少なくとも両端部位置にそれぞれ取り付けられたクッション材２３と、を具備することを特徴とするシューズ２０である。
【発明の開示】
【発明が解決しようとする課題】
【０００３】  特許文献１に開示されているシューズにおいて、硬質プレートは前足部における所要位置のみでシューズ本体部の底面側に固定されているため、蹴りだしの際シューズ本体部の踵部（後足部）と硬質プレートが離反することにより、シューズ本体部の屈曲性を維持することができる。この際、離反が大きすぎると、シューズ本体部と硬質プレートとの固定部に負荷がかかり、固定部が破損する可能性があった。蹴りだしの際シューズ本体部と硬質プレートとの過度の離反を制限しながら、蹴りだしの後硬質プレートのシューズ本体部への追従性を確保することを課題とする。
【課題を解決するための手段】
【０００４】そこで本発明は、シューズ本体部と硬質プレートとの固定部の破損を防ぎ、蹴りだしの際シューズ本体部と硬質プレートとの過度の離反を制限しながら、蹴りだしの後硬質プレートのシューズ本体部への追従性を向上させたシューズの提供を目的とする。【０００５】  すなわち本発明は、足が挿入されるシューズ本体部と、前記シューズ本体部の底面側長さ方向における所要範囲を覆うとともに、前足部における所要位置においてのみで前記シューズ本体部の底面側に固定された硬質プレートと、前記硬質プレートの接地面側の長さ方向における両端部にそれぞれ取り付けられたクッション材と、少なくともシューズ本体部と硬質プレートとの固定部より踵側の所要位置でシューズ本体部と硬質プレートとを架橋する伸縮部材と、を具備することを特徴とするシューズである。【０００６】  また、前記伸縮部材は前記固定部より踵側の所要位置でシューズ本体部と硬質プレートとを架橋するが、前記所要位置が前記固定部にまで及んでもかまわない。これにより前記伸縮部材の強度が増し、前記伸縮部材の破損の防止になる。【０００７】  また、前記伸縮部材はシューズを覆う全周性のものが好ましい。これにより蹴りだしの際前記伸縮部材に均等に圧がかかるため、履き心地が確保されるとともに、前記伸縮部材の破損の防止になる。【０００８】  また、前記伸縮部材は、前記硬質プレートあるいは前記クッション材あるいは前記シューズ本体部のいずれかに固定されていることが好ましい。これにより前記伸縮部材がシューズの所要位置から逸脱するのを防ぐことができる。【０００９】  また、前記伸縮部材は離解、接合可能な構造を具備することが好ましい。これにより使用者の足の形状、運動強度に合わせて、前記伸縮部材の伸縮性の調節が可能となる。また、前記離解、接合可能な構造はシューズの甲部（上部）に具備することが好ましい。これにより使用者の利便性が向上する。【００１０】  また、前記伸縮部材は、シューズに固定せず、取り外し可能なものにすることもできる。これにより使用者の足の形状、運動強度に合わせて前記伸縮部材の伸縮性の変更が可能で、前記伸縮部材が破損した場合にも容易に交換できる。【００１１】  また、前記硬質プレートあるいは前記クッション材あるいは前記シューズ本体部のいずれかに前記伸縮部材が適合する溝を形成することが好ましい。これにより前記取り外し可能な伸縮部材がシューズの所要位置から逸脱するのを防ぐことができる。【００１２】  また、前記硬質プレートあるいは前記クッション材あるいは前記シューズ本体部のいずれかに前記伸縮部材が通る孔を形成することが好ましい。これにより前記取り外し可能で離解、接合可能な構造を具備する伸縮部材が所要位置から逸脱するのを防ぐことができる。
【発明の効果】
【００１３】  本発明により、シューズ本体部の踵部（後足部）と硬質プレートとが離反する際、シューズ本体部と硬質プレートとを架橋する伸縮部材が、硬質プレートとシューズ本体との固定部に負荷をかけるような過度の離反を制限し、固定部の破損を防ぐことができる。また蹴りだしの後、伸縮部材の復元力により硬質プレートのシューズ本体部への追従性を確保することもできる。
【発明を実施するための最良の形態】
【００１４】  図１は、本発明のシューズ１０の側面図である。足が挿入されるシューズ本体部１と、前記シューズ本体部１の底面側長さ方向における所要範囲を覆うとともに、前足部における所要位置においてのみで前記シューズ本体部１の底面側に固定された硬質プレート２と、前記硬質プレート２の接地面側の長さ方向における両端部にそれぞれ取り付けられたクッション材３と、少なくとも前記シューズ本体部１と前記硬質プレート２との固定部４より踵側の所要位置でシューズ本体部１と硬質プレート２とを架橋する伸縮部材５と、を具備することを特徴とするシューズ１０である。【００１５】  前記伸縮部材は、ゴム、シリコンなどの素材が適している。【００１６】  前記離解、接合可能な構造を具備する伸縮部材として、マジックテープやフックを利用することも可能である。【００１７】  図２は、シューズ１０の蹴り出し時の側面図である。蹴り出しの際は、シューズ本体部１の踵部が硬質のプレート２から離れるが、シューズ本体部１と硬質プレート２とを架橋する伸縮部材５が、シューズ本体部１と硬質プレート２の固定部４に負荷をかけるような過度の離反を制限し、固定部４の破損を防ぐことができる。また蹴りだしの後、伸縮部材５の復元力により硬質プレート２のシューズ本体部１への追従性を確保することもできる。
【産業上の利用可能性】
【００１８】  本発明に係るシューズは、工業的に量産する事が可能であるため、産業上の利用可能性を有する。
【図面の簡単な説明】
【００１９】
【図１】  本発明のシューズの側面図である。
【図２】  本発明のシューズの蹴り出し時の側面図である。
【図３】  従来技術におけるシューズの側面図である。
【符号の説明】
【００２０】１      シューズ本体部
２      硬質プレート
３      クッション材
４      固定部
５      伸縮部材
１０      本発明のシューズ
２０      従来技術におけるシューズ
２１      シューズ本体部
２２      硬質プレート
２３      クッション材
【図１】
2020163092.tif 000003
【図２】
2020163092.tif 000004
【図３】
2020163092.tif 000005